(57)【特許請求の範囲】
【請求項１】
フレームと、
回転軸と、
前記フレームとは別体から成り、前記回転軸を回転自在に支持する支持部と、
支持部が締結される被締結部材と
を備え、前記支持部が前記被締結部材に対して締結されることによって、前記支持部が前記フレームに対して相対的に固定された位置に取り付けられ、
前記支持部は、前記被締結部材に対する取り付け位置を調整するための位置調整機構を備え、
前記位置調整機構は、前記支持部と前記被締結部材との間に配置された調整部材からなることを特徴とする打楽器用ペダル装置。
【請求項２】
前記支持部は、前記被締結部材に対する取り付け位置を規定する位置決め機構を備えることを特徴とする請求項１に記載の打楽器用ペダル装置。
【請求項３】
前記位置決め機構は、前記被締結部材に対して複数の当接面を持つように形成された取り付け部からなることを特徴とする請求項２に記載の打楽器用ペダル装置。
【請求項４】
フレームと、
回転軸と、
前記フレームとは別体から成り、前記回転軸を回転自在に支持する支持部と、
支持部が締結される被締結部材と
を備え、前記支持部が前記被締結部材に対して締結されることによって、前記支持部が前記フレームに対して相対的に固定された位置に取り付けられ、
前記支持部は、前記被締結部材に対する取り付け位置を規定する位置決め機構を備え、
前記位置決め機構は、前記被締結部材に対して２つの当接面を持つように形成された取り付け部からなり、該２つの当接面が略直角を成していることを特徴とする打楽器用ペダル装置。
【請求項５】
前記支持部は、前記被締結部材に対する取り付け位置を調整するための位置調整機構を備えることを特徴とする請求項４に記載の打楽器用ペダル装置。
【請求項６】
フットボードと、
前記フットボードの踏み込みに応じて前記回転軸を回転する伝達機構と、
を更に備え、
前記被締結部材は前記フレームであることを特徴とする請求項１乃至５の何れかに記載の打楽器用ペダル装置。
【請求項７】
フットボードと、
前記フレームに取り付けられたヒール部と、
を更に備え、
前記回転軸は前記フットボードの後端に備えられ、
前記被締結部材は前記フレームまたは前記ヒール部であることを特徴とする請求項１乃至５の何れかに記載の打楽器用ペダル装置。
【発明の詳細な説明】
【技術分野】
【０００１】
この発明は、例えばドラムセットのバスドラムなどの打楽器を演奏する際に用いる打楽器用ペダル装置に関し、特に回転軸の支持構造の改良に関する。
【０００２】
図７（ａ）は、従来のペダル装置１００の側面図を示し、（ｂ）は、（ａ）のペダル装置１００を矢印Ｅから見た正面図を示す。図７（ａ）、（ｂ）に示す通り、ペダル装置１００のフレーム１１０は、アンダープレート１１１上に立設された左右１対の支柱１１２を備え、支柱１１２の上端に備わる支持部１１３が、図示しないベアリングを介して回転軸１０２を回転自在に支持している。この回転軸１０２には、ロッカ部材１０３が固定され、該ロッカ部材１０３には、先端部にビーター１０７を有するロッド１０５が取り付けられる。フットボード１０６の前端には、例えばチェーン部材からなる伝達機構１０４の一端が接続され、該伝達機構１０４は他端においてロッカ部材１０３に接続される。そして、ユーザによるフットボード１０６の踏み込み操作に応じて、伝達機構１０４を介して回転軸１０２が回転し、回転軸１０２の回転に応じてビーター１０７がバスドラム（不図示）を打撃する。かかる一般的なペダル装置の構造は、例えば下記特許文献１などに示されている。
【０００３】
従来のペダル装置１００のフレーム１１０では、支柱１１２と支持部１１３とは一体成形されている。このため、一体成形時のゆがみ等により、支持部１１３に回転軸１０２を取り付けたときに、該回転軸１０２にガタ付きがある場合がある。しかし、従来の一体成形フレーム１１０では、回転軸１０２の端部を支持する支持部１１３及びベアリングのフレーム１１０に対する相対的位置が固定されているので、フレーム１１０（支持部１１３）に対する回転軸１０２の相対的な取り付け位置を調整するという手段がとれず、回転軸１０２のガタ付きを修正することは、できなかった。
【０００４】
また、支持部１１３が支柱１１２と一体成形される場合、一体成形時のゆがみ等により、左右の支持部１１３の間で回転軸１０２の中心がずれてしまう。左右の支持部１１３の間の距離が離れているので、フレーム１１０形成後の後加工により軸中心のずれを修正することは、困難である。
【０００５】
また、フットボード１０６は、ヒンジ部１０８を介してヒール部１１４に対して回転自在に取り付けられている。ヒンジ部１０８の回転軸１０８ａを支持する支持部１１５もまた、ヒール部１１４と一体成形される。したがってフットボード１０６の後端のヒンジ部１０８の支持構造においても、ヒール部１１４に対するヒンジ部１０８の相対的な取り付け位置が調整できないこと、左右の支持部１１５の間で回転軸１０８ａの中心がずれてしまうこと、及び、後加工による回転軸１０８ａの中心ずれ修正が困難であること、という問題がある。
【先行技術文献】
【特許文献】
【０００６】
【特許文献１】特許第２７３８３１８号
【発明の概要】
【発明が解決しようとする課題】
【０００７】
この発明は、フレームに対して回転軸を精度高く組み付けることができるようにした打楽器用ペダル装置を提供することを目的とする。
【課題を解決するための手段】
【０００８】
この発明は、フレームと、回転軸と、前記フレームとは別体から成り、前記回転軸を回転自在に支持する支持部と、支持部が締結される被締結部材とを備え、前記支持部が前記被締結部材に対して締結されることによって、前記支持部が前記フレームに対して相対的に固定された位置に取り付けられ、前記支持部は、前記被締結部材に対する取り付け位置を調整するための位置調整機構を備え、前記位置調整機構は、前記支持部と前記被締結部材との間に配置された調整部材からなることを特徴とする打楽器用ペダル装置である。また、別の観点によれば、この発明は、フレームと、回転軸と、前記フレームとは別体から成り、前記回転軸を回転自在に支持する支持部と、支持部が締結される被締結部材とを備え、前記支持部が前記被締結部材に対して締結されることによって、前記支持部が前記フレームに対して相対的に固定された位置に取り付けられ、前記支持部は、前記被締結部材に対する取り付け位置を規定する位置決め機構を備え、前記位置決め機構は、前記被締結部材に対して２つの当接面を持つように形成された取り付け部からなり、該２つの当接面が略直角を成していることを特徴とする打楽器用ペダル装置である。
【０００９】
この発明に係る打楽器用ペダル装置によれば、回転軸を回転自在に支持する支持部を、フレームとは別体で構成し、この支持部を被締結部材に対して締結することによって、前記支持部が前記フレームに対して相対的に固定された位置に取り付けられる。この構成により、フレームに対して支持部を取り付ける際に、該支持部のフレームに対する取り付け位置を調整することが可能となる。この取り付け位置の調整により、例えば、回転軸の軸中心を合わせることが可能となる。したがって、フレームと支持部を一体成形する従来技術に比べて、フレームに対して回転軸を精度高く組み付けることが可能となる。
【発明の効果】
【００１０】
この発明に係る打楽器用ペダル装置によれば、フレームに対して回転軸を精度高く組み付けることができる、という優れた効果を奏する。
【図面の簡単な説明】
【００１１】
【図１】この発明の一実施形態に係る打楽器用ペダル装置の側面図。
【図２】図１に示す打楽器用ペダル装置の正面図。
【図３】図１に示す打楽器用ペダル装置の後端部分を上から見た平面図。
【図４】（ａ）図１に示すペダル装置を矢印Ａから見た斜視図であって、伝達機構等を取り外した状態を示し、（ｂ）は回転軸支持部を抽出して示す斜視図であり、（ｃ）は回転軸支持部を取り外したフレーム（支柱）を示す斜視図、（ｄ）は、（ａ）において回転軸を取り付けた状態を示す。
【図５】回転軸支持部の一実施形態であって、ネジ穴が長穴からなる構成例を示す正面図。
【図６】（ａ）図１に示すペダル装置の後端部分を矢印Ｂの示す部分を見た斜視図であって、伝達機構等を取り外した状態を示し、（ｂ）はヒール部支持部を抽出して示す斜視図であり、（ｃ）はヒール部支持部の底面図、（ｄ）はヒール部支持部を取り外したヒール部を示す斜視図。
【図７】（ａ）従来のペダル装置の側面図、（ｂ）は（ａ）を矢印Ｅから見た正面図。
【発明を実施するための形態】
【００１２】
以下、添付図面を参照して、この発明に係る打楽器用ペダル装置の一実施形態ついて詳細に説明する。打楽器用ペダル装置（以下、単に「ペダル装置」とも言う）は、例えばドラムセットのバスドラムを演奏する際に用いる。
【００１３】
図１は、ペダル装置の一例を示す側面図であり、図２は、図１のペダル装置を矢印Ａから見た正面図である。以下の説明において、ペダル装置１の前後上下方向は、ペダル装置１が水平な床面に載置された状態を基準とし、図１の左側をペダル装置１の前方とし、図１の上側をペダル装置１の上方とする。
【００１４】
図１及び図２に示すように、ペダル装置１は、床面に設置されるフレーム１０を備えている。フレーム１０は、アンダープレート１１と、アンダープレート１１の前端に設けられた左右一対の支柱１２ａ、１２ｂを含む。支柱１２ａ、１２ｂの上端には、それぞれ、該支柱１２ａ、１２ｂと別体からなり、回転軸２の両端を回転自在に支持する回転軸支持部１３ａ、１３ｂが取り付けられている。回転軸支持部１３ａ、１３ｂが支柱１２ａ、１２ｂの上端に取り付けられることにより、回転軸２がフレーム１０の支柱１２ａ、１２ｂに対して回転自在に取り付けられる。すなわち、この場合、フレーム１０の支柱１２ａ、１２ｂが、回転軸支持部１３ａ、１３ｂの締結される被締結部材となる。
【００１５】
回転軸２の略中央にはロッカ部材３が固定されており、該ロッカ部材３に取り付けられたロッド５の先端にビーター７が取り付けられている。ロッカ部材３、ロッド５及びビーター７が、打撃機構を構成する。ロッカ部材３には、例えばチェーン部材からなる伝達機構４の上端が連結され、該伝達機構４の下端にはフットボード６が連結される。
【００１６】
図３は、ペダル装置１の後端を上から見た平面図であって、ペダル装置１の前端部分の図示は省略している。図１及び図３に示す通り、フットボード６は、後端にヒンジ部８を備える。アンダープレート１１の後端には、ヒール部１４が設けられている。ヒール部１４には、該ヒール部１４とは別体からなり、ヒンジ部８の回転軸８ａの両端を回転自在に支持する左右１対のヒンジ部支持部１５ａ、１５ｂが取り付けられている。ヒンジ部支持部１５ａ、１５ｂがヒール部１４に取り付けられることにより、ヒンジ部８の回転軸８ａがフレーム１０のヒール部１４に対して回転自在に取り付けられる。なお、ヒール部１４の上面は例えばゴムからなるカバー部材１６で覆われている。すなわち、この場合、ヒール部１４が、ヒンジ部支持部１５ａ、１５ｂの締結される被締結部材となる。
【００１７】
ユーザがフットボード６を踏み込むと、フットボード６は、図１に示された状態から、ヒンジ部８を支点に下方に枢動する。フットボード６の枢動に応じて、伝達機構４が下方に移動する。この伝達機構４の下方移動により、回転軸２が回転軸支持部１３ａ、１３ｂを支点に前方に回転する。すなわち、フットボード６の踏み込みに応じた回転力は、伝達機構４を介して回転軸２に伝達される。そして、回転軸２の回転に応じてビーター７が、図示しないバスドラムのドラムヘッドを打撃する。ユーザがフットボード２の踏み込みを解くと、フットボード６は、回転軸２の一端に連結された復帰用ばね９（図２参照）により付与された上方への復帰習性により、図１に示す位置に復帰する。
【００１８】
次に、図４を参照して、回転軸支持部１３ａ、１３ｂの詳細な構成例について説明する。図４（ａ）は、ペダル装置１を図１の矢印Ａから見た斜視図であって、回転軸２、伝達機構４等を取り外した状態を示し、後端側の図示を省略する。図４（ｂ）は１つの回転軸支持部１３ａを拡大して示す斜視図を示し、（ｃ）は、（ａ）において回転軸支持部１３ａ、１３ｂを取り外した状態を示す。
【００１９】
図４（ｂ）に示す通り、回転軸支持部１３ａは、回転軸２の端部が挿入される貫通穴３０を備える。貫通穴３０にはベアリング（図４（ｄ）の符号３４ａ、３４ｂ）が組み込まれている。回転軸支持部１３ａは、その下端に支柱１２ａに対する取り付け部として、２つの取り付け面３１、３２を備える。第１の取り付け面３１は、支柱１２ａの上端面と略平行面、言い換えれば支柱１２ａの長さ方向に対して略直交面に、形成される。第２の取り付け面３２は、前記第１の取り付け面３１から下方に延びるように形成された脚部３５の１側面であって、該第１の取り付け面３１に対して略直角に形成される。該脚部３５の他方の側面（第２の取り付け面３２に対向する面）には、回転軸支持部１３ａを支柱１２ａに固定するためのネジを取り付けるネジ穴３３が備わる。
【００２０】
回転軸支持部１３ｂは、図４（ｂ）に示す回転軸支持部１３ａと同様な、貫通穴３０と、支柱１２ｂに対する取り付け面となる２面３１、３２と、ネジ穴３３とを有する構成であり、その図示は省略する。
【００２１】
各支柱１２ａ、１２ｂは、図４（ｃ）に示す通り、上端に回転軸支持部１３ａ、１３ｂの各第１の取り付け面３１に当接する第１当接面２１ａ、２１ｂと、回転軸支持部１３ａ、１３ｂの各第２の取り付け面３２に当接する第２当接面２２ａ、２２ｂを備える。第２当接面２２ａ、２２ｂには、回転軸支持部１３ａ、１３ｂのネジ穴３３に対応するネジ穴２３ａ、２３ｂが備わる。また、支柱１２ａと支柱１２ｂの上端の間には、支柱１２ａ、１２ｂと一体成形されたサブフレーム１２ｃが設けられている。支柱１２ａ、１２ｂの間に回転軸２と平行にサブフレーム１２ｃを設けることにより、フレーム１０の構造を安定させる。
【００２２】
左右の支柱１２ａ、１２ｂは、第１当接面２１ａ及び２１ｂの平面度、及び、第２当接面２２ａ及び２２ｂの平面度を、後加工により、合わせるように形成されている。この左右の支柱１２ａ，１２ｂの間で平面度を合わせる加工は、平面に対する加工であるため高精度で行うことができる。これにより、各支柱１２ａ，１２ｂに取り付けられた回転軸支持部１３ａ、１３ｂの間で、回転軸２の中心を高精度で合わせることが可能となる。
【００２３】
支柱１２ａ，１２ｂに対する回転軸支持部１３ａ、１３ｂの取り付け作業手順例を説明する。まず、回転軸２の両端にベアリング３４ａ、３４ｂを介して回転軸支持部１３ａ及び１３ｂを取り付け、次に、回転軸支持部１３ａ、１３ｂの２つの取り付け面３１、３２を支柱１２ａ、１２ｂの当接面２１ａ、２１ｂ、２２ａ、２２ｂに当接し、そして、ネジ穴３３、２３ａ、２３ｂに取り付けたネジにより、回転軸支持部１３ａ、１３ｂを支柱１２ａ、１２ｂに固定する。図４（ｄ）は、（ａ）において回転軸２を取り付けた状態を示す。なお、取り付け作業の手順は、上記の一例に限らず、どのような手順でもよい。
【００２４】
支柱１２ａ，１２ｂに対して回転軸支持部１３ａ、１３ｂを取り付ける際、回転軸支持部１３ａ、１３ｂが、２つの取り付け面３１及び３２で、支柱１２ａ，１２ｂに当接する構成であるため、その取り付け位置を、該２面３１、３２により規定される位置で、位置決めできる。すなわち、回転軸支持部１３ａ、１３ｂの位置決め機構は、該回転軸支持部１３ａ、１３ｂが支柱１２ａ、１２ｂに対して２以上の複数面（３１及び３２）で当接するようにように形成された取り付け部からなる。
【００２５】
また、支柱１２ａ、１２ｂに対して回転軸支持部１３ａ、１３ｂを取り付ける際、例えば、ネジ穴３３、２３ａ、２３ｂに取り付けたネジのネジ込み量の調整や、回転軸支持部１３ａ、１３ｂを左右両側から押さえつけた状態で固定すること等により、回転軸支持部１３ａ、１３ｂの取り付け位置を微調整できる。この取り付け位置調整により、フレーム１０に組み付けた回転軸２のガタ付きを解消することができる。
【００２６】
図５は、一実施形態として、回転軸支持部１３ａ、１３ｂのネジ穴３３が左右方向に延びた長穴からなる構成例を示す。この場合、ネジ穴３３が、回転軸支持部１３ａ、１３ｂの取り付け位置を調整するため位置調整機構として機能する。ユーザは、ネジ穴３３の許容する範囲内で、支柱１２ａ、１２ｂに対する回転軸支持部１３ａ、１３ｂの取り付け位置を左右方向に調整できる。なお、ネジ穴３３の形状は、例えば、上下方向に延びた長穴、あるいは、左右方向及び上下方向に位置調整可能な形状など、その他適宜の形状であってよい。
【００２７】
このように、この実施例に係るペダル装置１によれば、回転軸支持部１３ａ、１３ｂを支柱１２ａ、１２ｂとは別体で構成したことにより、フレーム１０の支柱１２ａ、１２ｂに対して回転軸２を精度高く組み付けることが可能となる。
【００２８】
次に、図６を参照して、ヒンジ部支持部１５ａ，１５ｂの詳細な構成例について説明する。図６（ａ）は、ペダル装置１の後端を図１の矢印Ｂの示す部分を見た斜視図であって、カバー部材１６を取り外した状態を示しており、前端側の図示を省略している。図６（ａ）に示す通り、ヒール部１４の左右端部にヒンジ部支持部１５ａ、１５ｂが配置される。
【００２９】
図６（ｂ）は、１つのヒンジ部支持部１５ａを拡大して示す斜視図である。ヒンジ部支持部１５ａは、ヒンジ部８の回転軸８ａを支持するための貫通穴５０を備え、貫通穴５０にはベアリング（不図示）が組み込まれる。ヒンジ部支持部１５ａは、ヒール部１４に対する取り付け部として、２つの取り付け面５１、５２を備える。第１の取り付け面５１は、ヒンジ部支持部１５ａの底面に対応し、第２の取り付け面５２は、ヒンジ部支持部１５ａの後端側面に対応する。第１の取り付け面５１と第２の取り付け面５２とは、互いが略直角に形成される。図６（ｃ）は、ヒンジ部支持部１５ａの底面図を示す。ヒンジ部支持部１５ａの底面（第１の取り付け面５１）には、ヒンジ部支持部１５ａをヒール部１４に固定するためのネジを取り付けるためのネジ穴５３が備わる。ネジ穴５３は、左右方向に延びた長穴からなり、該ネジ穴５３の範囲で、ヒール部１４に対するヒンジ部支持部１５ａの取り付け位置を左右方向に調整できる。
【００３０】
ヒンジ部支持部１５ｂは、図６（ｂ）に示すヒンジ部支持部１５ａと同様な、貫通穴５０と、２つの取り付け面５１、５２と、ネジ穴５３とを有する構成であり、その図示は省略する。
【００３１】
図６（ｄ）は、（ａ）においてヒンジ部支持部１５ａ，１５ｂを取り外した状態を示す。（ｄ）に示す通り、ヒール部１４は、基部１７と該基部１７から立ち上がるヒール部本体１８からなる。基部１７とヒール部本体１８とは一体成形される。基部１７の左右端部には、ヒンジ部支持部１５ａ、１５ｂの第１の取り付け面５１に当接する第１の当接面４１ａ、４１ｂが備わり、ヒール部本体１８の側面には、ヒンジ部支持部１５ａ、１５ｂの第２の取り付け面５２に当接する第２の当接面４２ａ、４２ｂが備わる。第１の当接面４１ａ、４１ｂには、ヒンジ部支持部１５ａ、１５ｂのネジ穴５３に対応するネジ穴４３ａ、４３ｂが備わる。
【００３２】
ヒール部１４も、第１の当接面４１ａと４１ｂの平面度及び第２の当接面４２ａと４２ｂの平面度を、後加工により合わせるように形成される。これにより、ヒール部１４に取り付けられた左右のヒンジ部支持部１５ａ、１５ｂの間で、ヒンジ部８の回転軸８ａの中心を高精度に合わせることが可能となる。
【００３３】
ヒール部１４に対するヒンジ部支持部１５ａ、１５ｂの取り付け作業手順例を説明する。まず、ヒンジ部８の回転軸８ａの両端にヒンジ部支持部１５ａ、１５ｂを取り付け、次に、ヒンジ部支持部１５ａ、１５ｂの２つの取り付け面５１、５２を、ヒール部１４の当接面４１ａ、４１ｂ、４２ａ、４２ｂに当接し、そして、ネジ穴５３、４３ａ、４３ｂに取り付けたネジにより、ヒンジ部支持部１５ａ、１５ｂをヒール部１４に固定する。なお、取り付け作業の手順は、上記の一例に限らず、どのような手順でもよい。
【００３４】
ヒール部１４に対してヒンジ部支持部１５ａ、１５ｂを取り付ける際、各ヒンジ部支持部１５ａ、１５ｂの２つの取り付け面５１及び５２が、ヒール部１４の当接面４１ａ、４１ｂ、４２ａ、４２ｂに当接する構成により、その取り付け位置を、該２面５１、５２により規定される位置で位置決めできる。すなわち、ヒンジ部支持部１５ａ、１５ｂは、位置決め機構として、該ヒンジ部支持部１５ａ、１５ｂがヒール部１４に対して２以上の複数面（５１及び５２）で当接するように形成された取り付け部を備える。
【００３５】
また、ヒール部１４に対してヒンジ部支持部１５ａ、１５ｂを取り付ける際、例えば、ネジ穴５３、４３ａ、４３ｂに取り付けたネジのねじ込み量の調整や、ヒンジ部支持部１５ａ、１５ｂを例えば左右両側から押さえつけて固定すること等により、ヒール部１４に対するヒンジ部支持部１５ａ、１５ｂの取り付け位置を微調整することができる。この取り付け位置調整により、ヒール部１４に組み付けたヒンジ部８の回転軸８ａのガタ付きを解消することができる。
【００３６】
また、ヒンジ部支持部１５ａ、１５ｂのネジ穴５３が長穴で形成されているので、この長穴が位置調整機構として機能する。ユーザは、ネジ穴５３の許容する範囲内で、ヒンジ部支持部１５ａ、１５ｂの取り付け位置を左右方向に調整できる。ネジ穴５３の形状は、前後方向に延びた長穴、あるいは、左右方向及び前後方向に位置調整可能な形状など、その他適宜の形状であってよい。
【００３７】
このように、この実施例に係るペダル装置１によれば、ヒンジ部支持部１５ａ、１５ｂをヒール部１４とは別体で構成したことにより、ヒール部１４に対してヒンジ部８の回転軸８ａを精度高く組み付けることが可能となる。
【００３８】
以上、この発明の一実施形態を説明したが、この発明は上記実施形態に限定されるものではなく、特許請求の範囲、及び明細書と図面に記載された技術的思想の範囲内において種々の変形が可能である。
【００３９】
例えば、回転軸支持部１３ａ、１３ｂに備わる取り付け位置調整機構の別の例として、回転軸支持部１３ａ、１３ｂと支柱１２ａ、１２ｂの間に、位置調整を行うための調整部材を配置するようにしてもよい。調整部材は、例えばワッシャーやバネ等の弾性体である。第１取り付け面３１と第１当接面２１ａ，２１ｂの間に配置した調整部材により上下方向の位置を調整し、また、第２取り付け面３２と第２当接面２２ａ，２２ｂの間に配置した調整部材により、前後方向の位置を調整できる。ヒンジ部支持部１５ａ，１５ｂの取り付け位置調整機構としても、ヒンジ部支持部１５ａ，１５ｂとヒール部１４の間に配置された調整部材を適用し得る。
【００４０】
また、回転軸支持部１３ａ、１３ｂの位置決め機構は、２以上の取り付け面３１、３２で支柱１２ａ、１２ｂに当接する構成に限らず、位置決めするためのガイド穴、あるいは、ガイド溝を、回転軸支持部１３ａ、１３ｂ又は支柱１２ａ，１２ｂに備える構成など、その他適宜の構成であってよい。また、ヒンジ部支持部１５ａ、１５ｂの位置決め機構も、２以上の取り付け面５１、５２でヒール部１４に当接する構成に限らず、位置決めするためのガイド穴、あるいは、ガイド溝を、ヒンジ部支持部１５ａ、１５ｂ又はヒール部１４の一方に備える構成など、その他適宜の構成であってよい。
【符号の説明】
【００４１】
１  打楽器用ペダル装置、２  回転軸、３  ロッカ部材、４  伝達機構、５  ロッド、６  フットボード、７  ビーター、８  ヒンジ部、１０  フレーム、１１  アンダープレート、１２ａ，１２ｂ  支柱、１３ａ，１３ｂ  回転軸支持部、１４  ヒール部、１５，１５ｂ  ヒンジ部支持部、３１，３２  取り付け面（取り付け部）、５１，５２  取り付け面（取り付け部）
【図１】
0006607114.tif 000002
【図２】
0006607114.tif 000003
【図３】
0006607114.tif 000004
【図４】
0006607114.tif 000005
【図５】
0006607114.tif 000006
【図６】
0006607114.tif 000007
【図７】
0006607114.tif 000008